(57)【要約】【課題】遠隔操作機器による遠隔操作を受ける電子機器の待機状態での消費電力を、簡単な構成で低減化することができるようにする。【解決手段】システム制御部２９は、デジタルカメラ２１の主電源をＯＦＦして待機状態に入る際に、次のリモコン受信信号の出力先を受信信号変換部２３にするように、出力制御部２２ｆに対する設定を行う。受信信号変換部２３は、次のリモコン受信信号が受信されると、Ｈｉｇｈ信号をスイッチ３４経由でシステム制御部２９に出力すると共に、論理和回路３１経由で電源制御部２５に出力する。このＨｉｇｈ信号により、電源制御部２５はシステム制御部２９に主電源を供給する。また、システム制御部２９は、上記のＨｉｇｈ信号により主電源ＯＮ指令であることを認識し、リモコン受信信号のデコード処理を行うことなく、各種の起動処理を行う。【選択図】図１
2011120166.tif 000002
【特許請求の範囲】
【請求項１】
主電源部の他に遠隔操作機器からの無線信号を待機するための補助電源を供給する補助電源部を有する電子機器であって、
前記電子機器の各部に対する前記主電源部からの主電源の供給を制御する電源制御部と、
前記遠隔操作機器からの無線信号を受信する受信部と、
前記受信部からの無線信号を変換する信号変換部と、  
前記無線信号に基づいて前記電子機器の動作を制御する機器制御部を有し、
前記電源制御部は、前記信号変換部からの出力信号に基づいて前記主電源の供給を制御し、
前記機器制御部は、前記受信部により受信された前記無線信号の出力先を前記信号変換部と当該機器制御部との間で切替えることにより、該無線信号をデコードすることなく前記各部の起動処理を行うことを特徴とする電子機器。
【請求項２】
前記機器制御部は、前記主電源部からの主電源の供給が停止される際に、次の前記無線信号の出力先を前記信号変換部に切替える設定を前記受信部に対して行い、該信号変換部からの出力信号に基づいて前記無線信号をデコードすることなく前記各部の起動処理を行うことを特徴とする請求項１に記載の電子機器。
【請求項３】
前記機器制御部は、前記主電源部からの主電源の供給が停止された状態で前記遠隔操作機器から何らかの操作子の操作に係る前記無線信号が前記受信部により受信されることにより、前記信号変換部からの出力信号に基づいて前記無線信号をデコードすることなく前記各部の起動処理を行うことを特徴とする請求項２に記載の電子機器。
【請求項４】
前記機器制御部は、前記信号変換部からの出力信号に基づいて前記無線信号をデコードすることなく前記各部の起動処理を行うと共に、次の前記無線信号の出力先を当該機器制御部に切替える設定を前記受信部に対して行うことにより、該次の無線信号をデコードすることを特徴とする請求項３に記載の電子機器。
【請求項５】
前記機器制御部は、前記信号変換部からの出力信号に基づいて前記無線信号をデコードすることなく前記各部の起動処理を行った後、一定時間内に前記遠隔操作機器からの次の無線信号が前記受信部により受信されなかった場合は、次の前記無線信号の出力先を前記信号変換部に切替える設定を前記受信部に対して行った上で、前記電源制御部による前記各部への主電源の供給を停止させることを特徴とする請求項２〜４の何れかに記載の電子機器。
【請求項６】
前記信号変換部は、前記電子機器の操作子の操作信号又は有線の信号伝達媒体を介して外部機器から入力される信号に基づいて、前記機器制御部に対して所定の信号を出力し、該機器制御部は、該信号変換部からの所定の信号に基づいて、前記各部の起動処理を行うことを特徴とする請求項１〜５の何れかに記載の電子機器。
【発明の詳細な説明】
【技術分野】
【０００１】
本発明は、電子カメラ等の電子機器を遠隔操作する技術に関し、特に、電子機器の省電力化を図るための該電子機器の再起動（主電源の再供給）処理技術に関する。
【背景技術】
【０００２】
最近のエアコン、ビデオ、電子カメラ等の電気機器の多くは、リモートコントローラ（以下、リモコンと言う）により遠隔制御する機能を備えている。このリモコンは、動作時だけでなく、待機時も電源ＯＮの状態となっている。また、電気機器側のリモコン受光ユニットは、常時、電源ＯＮ状態になっており、通常、数ｍＡ程度の電流を消費している。
【０００３】
電気機器は、一般的に使用状態より待機状態の方が長いので、待機時の消費電力（以下、待機消費電力と言う）を無視することはできず、待機消費電力の低減化を図るための各種の技術が開発されている。この場合、リモコン受光ユニットは、リモコン信号受信時における外乱光、電磁ノイズ、電源ラインノイズ等の外部ノイズやＳ／Ｎの確保等の対策を行う必要があり、更に、リモコン信号の受信距離も近距離から遠距離まで確保する必要がある。このため、リモコン受光ユニットの回路構成を簡素化して待機消費電力を低減化することは困難である。
【０００４】
そこで、リモコン受光ユニットの回路構成を簡素化することなく、電気機器の待機消費電力の低減化を図る各種の技術が提案されている。その１つとして、リモコン受光ユニットの動作を消費電力の大きなメインマイコン及び主電源によって制御するといった従来のシステムに代え、リモコン用のサブ電源や、消費電力の少ないサブマイコンで制御するという技術が提案されている（特許文献１，２参照）。
【０００５】
サブマイコンを用いる技術では、リモコン受光ユニットは、リモコン信号を受信するとその旨をブマイコンに通知し、サブマイコンは、主電源、メインマイコン等に電子機器の起動信号を送出するという制御が行われる。
【先行技術文献】
【特許文献】
【０００６】
【特許文献１】特開２０００−１３９９８号公報
【特許文献２】特開平１１−２５２８２４号公報
【発明の概要】
【発明が解決しようとする課題】
【０００７】
しかしながら、上記のサブマイコンは、電子機器の主電源のＯＦＦ時には、リモコン受光ユニットからの制御信号を常に待ち受ける待機状態となっている。このため、メインマイコンに比べると待機電力の消費量は少ないが、サブマイコンも待機電力を浪費してしまう。
【０００８】
更に、サブマイコンは、電源ＯＮ信号のコードを認識するためのデコード処理を行う必要があるため、待機状態でも高速クロック信号に基づく動作が必要となり、電力を消費する。因みに、クロック信号の周波数は、赤外線の電源ＯＮ信号をデコードする場合は、３８ｋＨｚであり，ＢｌｕｅＴｏｏｔｈに係る信号の場合は１５７．５ｋＨｚである。
【０００９】
また、受信用のクロック信号（発信子、発振器、ＣＫＩＣ、等）を必要とする場合もあり、構成としても大掛かりになる。また、サブ電源としてコンデンサを用いる場合は、充電用のトランス等の大掛かりな回路構成を必要とする。
【００１０】
本発明は、このような技術的な背景の下になされたもので、その目的は、遠隔操作機器による遠隔操作を受ける電子機器の待機状態での消費電力を、簡単な構成で低減化することができるようにすることにある。
【課題を解決するための手段】
【００１１】
上記目的を達成するため、本発明は、主電源部の他に遠隔操作機器からの無線信号を待機するための補助電源を供給する補助電源部を有する電子機器であって、前記電子機器の各部に対する前記主電源部からの主電源の供給を制御する電源制御部と、前記遠隔操作機器からの無線信号を受信する受信部と、前記受信部からの無線信号を変換する信号変換部と、前記無線信号に基づいて前記電子機器の動作を制御する機器制御部を有し、前記電源制御部は、前記信号変換部からの出力信号に基づいて前記主電源の供給を制御し、前記機器制御部は、前記受信部により受信された前記無線信号の出力先を前記信号変換部と当該機器制御部との間で切替えることにより、該無線信号をデコードすることなく前記各部の起動処理を行うことを特徴とする。
【発明の効果】
【００１２】
本発明によれば、遠隔操作機器による遠隔操作を受ける電子機器では、前記信号変換部を用いることにより、遠隔操作に係る制御信号をデコードすることなく各部の起動処理を行うことができ、これにより、当該電子機器では、高速クロック信号を必要とするデコーダを用いる必要はなくなり、その待機状態での消費電力を簡単な構成で低減化することが可能となる。
【図面の簡単な説明】
【００１３】
【図１】本発明の第１の実施の形態に係るデジタルカメラの電気的な構成の概要を示す図である。
【図２】図１のデジタルカメラを遠隔操作するためのリモコンの操作ボタンを示す図である。
【図３】図１のデジタルカメラにおける受信信号変換部２３の構成を示す図である。
【図４】リモコン操作によるカメラ起動処理（主電源ＯＮ処理）を示すタイミングチャートである。
【図５】リモコン操作による主電源ＯＮ指令を受けた後、一定時間内にカメラ動作指令を受けなかった場合の処理を示すタイミングチャートである。
【図６】デジタルカメラの電源スイッチの操作によるカメラ起動処理を示すタイミングチャートである。
【図７】ＵＳＢケーブルを介したカメラ起動処理を示すタイミングチャートである。
【図８】リモコン操作によるカメラ終了処理（主電源ＯＦＦ処理）を示すタイミングチャートである。
【図９】デジタルカメラの電源スイッチの操作によるカメラ終了処理を示すタイミングチャートである。
【図１０】本発明の第２の実施の形態に係るデジタルカメラの電気的な構成の概要を示す図である。
【図１１】図１０のデジタルカメラにおけるプレ受信信号変換部５０の構成例を示す図である。
【図１２】上記受信信号変換部５０の動作を示すタイミングチャートである。
【発明を実施するための形態】
【００１４】
以下、本発明を実施するための形態を、図面に基づいて説明する。
【００１５】
［第１の実施の形態］
図１は、本発明の第１の実施の形態に係るデジタルカメラの電気的な構成の概要を示す図である。このデジタルカメラ２１は、リモコン受信部２２を有しており、リモートコントローラ（以下、リモコンという）１１により遠隔操作することが可能となっている。
【００１６】
リモコン１１は、カメラ動作制御信号、主電源制御信号等のデジタルカメラ２１を操作するためのリモコン制御コード信号（以下、リモコン信号という）を無線で送信する。このリモコン信号（無線信号）としては、本実施の形態では赤外線信号（光信号）を想定しているが、赤外線信号以外の光信号や電波信号を利用することも可能である。なお、リモコン制御信号は、搬送波を信号波によって変調した被変調波として出力される。
【００１７】
リモコン１１の操作子としては、図２に示したように、カメラの主電源ＯＮ／ＯＦＦを指示するためのＰｏｗｅｒボタン１２、Ｓｔｉｌｌボタン１３，Ｍｏｖｉｅボタン１４、Ｐｌａｙボタン１５を有している。ＳＥＴボタン１６、ＤＩＳＰボタン１７、ＭＥＮＵボタン１８を有している。
【００１８】
デジタルカメラ２１のリモコン受信部２２は、フォトダイオード２２ａ、アンプ２２ｂ、バンドパスフィルタ２２ｃ、検波回路２２ｄ、波形整形回路２２ｅ、出力制御部２２ｆを有している。フォトダイオード２２ａは、リモコン１１からのリモコン信号（被変調波：光信号）を受信して電気的な信号としてアンプ２２ｂに出力する。アンプ２２ｂは、上記のリモコン信号を増幅してバンドパスフィルタ２２ｃに出力する。
【００１９】
バンドパスフィルタ２２ｃは、入力されたリモコン信号のうち、所定の周波数帯域の信号だけを通過させて検波回路２２ｄに出力する。検波回路２２ｄは、入力されたリモコン信号（被変調波）から元の信号波を取り出す検波を行う。この検波信号は、波形整形回路２２ｅにより波形整形されて出力制御部２２ｆに供給される。出力制御部２２ｆは、システム制御部２９からの指令により、検波回路２２ｄからの検波信号（リモコン信号：制御コード信号）をシステム制御部２９、受信信号変換部２３の何れかに出力する。
【００２０】
ＵＳＢコネクタ３５は、有線の信号伝達媒体であるＵＳＢケーブル（図示省略）を介してパーソナルコンピュータ等の外部機器との間で行う通信のインタフェースを司り、外部機器からの制御信号を受信信号変換部２３、スイッチ３６を介してシステム制御部２９へ出力する。
【００２１】
受信信号変換部２３は、リモコン信号（パルス信号）のパルス幅を一定幅に変調して論理回路部１１へ出力する。この変調動作は、リモコン信号に最初の立ち上がりに同期して行われる。また、受信信号変換部２３は、ＵＳＢ通信時には、ＵＳＢからのＶＢＵＳ信号の立ち上がりに同期して一定のパルス幅の信号を論理回路部１１へ出力する。
【００２２】
この受信信号変換部２３の機能は、マルチバイブレータによる構成、或いはリセットＩＣによる構成等で実現することができる。本実施の形態では、図３に示したように、受信信号変換部２３をワンショット・マルチバイブレータにより構成している。
【００２３】
図３において、ワンショット・マルチバイブレータ２３ａは、ＩＣ化されており、積分回路を構成する抵抗ＲｘとコンデンサＣｘは、このＩＣに外付けされている。このワンショット・マルチバイブレータ２３ａは、入力信号が変化する時に、上記の積分回路で決まる一定のパルス幅Ｔｗのパルス電圧を出力する。このパルス幅Ｔｗは、Ｔｗ≒ＣｘＲｘとなる。
【００２４】
図３のワンショット・マルチバイブレータ２３ａでは、Ａ端子に入力された入力信号の立ち上がりで、Ｑ端子からＨｉｇｈ信号が出力され、Ｑ端子からＱ端子出力の反転信号が出力される。また、コンデンサＣｘに蓄えられた電荷は、Ｃｘ／Ｒｘ端子を介して放電される。ダイオードＤは、主電源ＯＦＦ時にＲｘ／Ｃｘ端子に流れ込む電流を小さくする目的でＲｘに並列に接続されている。
【００２５】
図１において、電源制御部２５は、図示省略した電源検出回路、ＤＣ−ＤＣコンバータ、通電するブロックを切替えるスイッチ回路等を有しており、デジタルカメラ２１の主電源部２４に接続されている。この電源制御部２５は、主電源部２４から供給される主電源に基づいてデジタルカメラ２１の各部に必要な電圧の電源を夫々生成し、必要な期間だけ各部に供給する。この電源制御部２５による電源電圧生成の制御は、システム制御部２９の制御の下に行われる。
【００２６】
主電源部２４は、アルカリ電池、リチウム電池等の１次電池、ＮｉＣｄ電池、ＮｉＭＨ電池、Ｌｉ電池等の２次電池、又はＡＣアダプタ等により構成されている。この主電源部２４からの主電源供給のＯＮ／ＯＦＦは、電源スイッチ３２を操作することにより行うことができる。
【００２７】
デジタルカメラ２１は、主電源部２４の他に補助電源部２６を有している。この補助電源部２６は、電源を常時供給する必要のあるリモコン受信部２２と受信信号変換部２３に対して、主電源部２４からの主電源の供給が無い時に電力を供給する。すなわち、電源スイッチ３２がＯＦＦされていても、リモコン受信部２２と受信信号変換部２３には、補助電源部２６からの補助電源が供給され、リモコン信号の受信処理等が可能となっている。
【００２８】
補助電源部２６は、２次電池等で構成することができる。補助電源部２６を２次電池で構成した場合は、主電源部２４から主電源が供給されている間に当該２次電池を充電するのが望ましい。ダイオード２８は、補助電源部２６からの電流が主電源部２４へ逆流するのを防止するために設けられている。
【００２９】
論理和回路部３１は、受信信号変換部２３、システム制御部２９、電源スイッチ３２からの入力信号に基づいて、電源制御部２５の起動、動作停止、動作保持を制御するために設けられている。本実施の形態では、上記の論理和の機能をダイオードにより実現している。
【００３０】
スイッチ３３，３４，３６は、夫々、電源スイッチ３２の出力、受信信号変換部２３の出力、ＵＳＢコネクタ３５のＶＢＵＳの出力を電圧変換してシステム制御２９に出力する。これらスイッチ３３，３４，３６は、スイッチング素子により構成され、電源制御部２５からの主電源により、スイッチング動作を行う。
【００３１】
クロック生成部３０は、クロック信号を生成し、システム制御部２９に供給する。システム制御部２９のデコーダ２９ａは、このクロック信号に基づいて、リモコン受信部２２からのリモコン制御コード信号をデコードする。クロック生成部３０は、発振子、発振器、クロックＩＣ等により構成することができる。なお、デコード専用のクロック生成部３０を設けることなく、他のカメラ駆動として必要なクロック信号に基づいてリモコン信号（コード信号）をデコードするようにしてもよい。
【００３２】
上記の受信信号変換部２３は、リモコン受信部２２の後段に配置され、システム制御部２９のデコーダ２９ａは、この受信信号変換部２３からの信号に基づいてリモコン１１からのカメラ動作指令等の制御コードをデコードする。ただし、デコーダ２９ａは、主電源の供給が停止されている待機状態でリモコン信号が受信された場合は、その最初のリモコン信号をデコードすることはない。この点については、後述する。
【００３３】
また、リモコン受信部２２は、システム制御部（機器制御部）２９からの指令により、リモコン信号の出力先をシステム制御部２９又は受信信号変換部２３のどちらへ出力するかを制御する。
【００３４】
システム制御部２９は、マイクロコンピュータのような大規模な回路ではなく、デジタルカメラ２１を制御するために必要な最小限の回路で構成されている。すなわち、本実施の形態では、大規模なマイクロコンピュータを用いることなく、小規模なシステム制御部２９により、受信信号変換部２３からの信号に基づいて、リモコン信号をデコードすることなくデジタルカメラ２１の起動処理（主電源ＯＮ処理）を行っている。
【００３５】
次に、リモコン１１からの指令によるデジタルカメラ２１の起動処理を、図４のタイミングチャートに基づいて詳細に説明する。
【００３６】
図４の最上段に示したように、リモコン１１からのリモコン信号（コード信号）は、所定期間ＯＮとＯＦＦを行うリーダーコード、１６ビットのカスタムコード、８ビットのデータコードを含んでいる。このリモコン信号には、上記のデータコードを論理反転したエラーチェック用の８ビットのデータコードも含まれている。
【００３７】
なお、図４の最上段に示したリモコン信号は、図４の２段目以降に示したタイムチャートに比べて時間軸が大きくなっており、この２段目以降の各タイムチャートは、時間軸の大きさが一致している。また、図４、及び後述の図５〜図９の各タイムチャートに示した信号Ａ，Ｂ，Ｃ，…Ｊ，Ｋ，Ｌは、図１、及ぶ後述の図１０においても同一の符号で示している。
【００３８】
リモコン１１は、Ｐｏｗｅｒボタン１２等の何れかのボタンが押下されると、上記のリモコン信号（光信号Ａ）を発信する（Ｔ４０１参照）。この光信号としてのリモコン信号がリモコン受信部２２のフォトダイオード２２ａにより受信されると（Ｔ４０２参照）、フォトダイオード２２ａは、このリモコン信号を光電変換する。
【００３９】
光電変換されたリモコン信号は、アンプ２２ｂ、バンドパスフィルタ２２ｃ、検波回路２２ｄ、波形整形回路２２ｅ、出力制御部２２ｆを介して、受信信号変換部２３へ出力される。これは、後述するように、次回のリモコン１１からのリモコン信号が受信信号変換部３に出力されるように、カメラ動作終了時に、システム制御部２９からの指令によって出力制御部２２ｆの出力先が設定されているからである。
【００４０】
受信信号変換部２３は、リモコン信号（パルス信号）の立ち上がりに同期して、Ｈｉｇｈ信号を論理和回路３１とスイッチ３４へ出力する（Ｔ４０３参照）。論理和回路部３１は、受信信号変換部２３からＨｉｇｈ信号が入力されると、Ｈｉｇｈ信号を電源制御部２５に出力する。なお、図４に示したように、論理和回路３１は、受信信号変換部２３からＨｉｇｈ信号が入力されなくなっても、出力信号ＣとしてＨｉｇｈ信号を出力し続けるが、これは次の回路動作による。
【００４１】
すなわち、電源制御部２５は、論理和回路３１からＨｉｇｈ信号が入力されると、システム制御部２９、スイッチ３４等への主電源の供給を開始する（出力信号Ｅ参照）。スイッチ３４は、電源制御部２５からの供給電圧が所定の電圧レベルに達すると（Ｔ４０４参照）、システム制御部２９へＨｉｇｈ信号を出力する（出力信号Ｆ参照）。
【００４２】
このスイッチ３４からのＨｉｇｈ信号に応答して、システム制御部２９は、リモコン１１からのカメラ起動指令であることを検出する（Ｔ４０５参照）。そして、システム制御部２９は、デジタルカメラ２１の起動設定を確定して、論理和回路３１へＨｉｇｈ信号を出力する（Ｔ４０６参照）。この論理和回路３１へのＨｉｇｈ信号の出力により、論理和回路３１は、受信信号変換部２３からＨｉｇｈ信号が入力されなくなっても、Ｈｉｇｈ信号を出力し続けることとなる。これにより、電源制御部２５は、主電源のＯＦＦ操作がなされない限り、システム制御部２９等に対して主電源を供給し続けることになる。
【００４３】
このように、本実施の形態では、リモコン受信部２２の後段に受信信号変換部２３、論理和回路３１等を配備している。そして、システム制御部２９は、リモコン１１からのリモコン信号をデコードすることなく、受信信号変換部２３の出力信号等に基づいて、各種のカメラ起動処理を行っている。
【００４４】
従って、従来のように、リモコン１１からのカメラ起動指令信号をデコードするために、主電源をＯＦＦした後の待機状態において、マイコン等に高速のクロック信号を供給する必要もなく、当該待機時の費電力を低減化することが可能となる。更に、リモコン１１の何れのボタンを操作しても、デジタルカメラ２１の主電源をＯＮすることができ、利便性が向上する。
【００４５】
次に、システム制御部２９は、リモコン信号の出力先を当該システム制御部２９へ切替える設定を、リモコン受信部２２の出力制御部２２ｆに対して行う（Ｔ４０７参照）。これにより、システム制御部２９のデコーダ２９ａは、その後、出力制御部２２ｆから出力されて来るリモコン制御信号を順次デコードする。
【００４６】
システム制御部２９は、受信信号変換部２３の出力信号がＬｏｗになるのに応じてスイッチ３４からの入力信号がＬｏｗになると（Ｔ４０８参照）、リモコン信号の受信の有無を監視する所定の時間を監視タイマに設定する（Ｔ４０９参照）。そして、システム制御部２９は、Ｔ４１０のタイミングで、デジタルカメラ２１のスタンバイを設定して、待機状態に入る。
【００４７】
この待機状態の間に、リモコン１１のＳｔｉｌｌボタン１３、Ｍｏｖｉｅボタン１４、Ｐｌａｙボタン１５等のカメラ動作を指示するボタンが押下され、そのカメラ動作指令のリモコン信号が出力されたものとする（Ｔ４１１参照）。このカメラ動作指令のリモコン信号は、Ｔ４１２、Ｔ４１３に示したように、出力制御部２１ｆを介してシステム制御部２９のデコーダ２９ａに出力される。デコーダ２９ａは、タイミングＴ４１４において、入力されたリモコン信号をデコードし、システム制御部２９は、その制御信号に応じた処理を行う。
【００４８】
そして、システム制御部２９は、Ｔ４１５のタイミングで監視タイマを解除し、タイミングＴ４１６でスタンバイを解除する。そして、システム制御部２９は、各部の起動シーケンスへ移行する。
【００４９】
次に、リモコン信号を受信した後、一定時間内にカメラ動作に係るリモコン信号等を受信しなかった場合のデジタルカメラ２１の動作を、図５のタイミングチャートに基づいて説明する。この場合の待機状態で最初にリモコン信号を受信した際の動作は、図４と同様である。従って、図５においても、図４と同一の動作については同一のタイミング符号Ｔ４０１等を付し、その説明は省略する。
【００５０】
図５において、システム制御部２９は、タイミングＴ４０９で監視タイマに所定時間を設定し、カメラ動作制御コード信号等のリモコン信号の受信の有無を監視する。ここで、その監視タイマがタイムアップしたタイミングＴＴ５０１に至ってもリモコン信号が受信されかったものとする。
【００５１】
この場合、システム制御部２９は、次に受信するリモコン信号の出力先を受信信号変換部２３へ切替える設定を、図５に示したタイミングＴ５０２でリモコン受信部２２の出力制御部２２ｆに対して行う。次に、システム制御部２９は、タイミングＴ５０３で、主電源ＯＦＦの設定を確定して、論理和回路３１への出力信号ＧをＨｉｇｈからＬｏｗに切替える。
【００５２】
このように論理和回路部３１への入力信号がＨｉｇｈからＬｏｗに切替わることにより、論理和回路３１からの出力信号ＤはＨｉｇｈからＬｏｗに切替わる。電源制御部２５は、論理和回路３１からＬｏｗ信号が入力されると、システム制御部２９等への主電源供給の停止処理を開始する。これにより、電源制御部２５の出力信号Ｅは、所定の時間後のタイミングＴ５０４でＬｏｗになり、デジタルカメラ２１は、主電源ＯＦＦの状態となる。
【００５３】
このように、待機状態で最初にリモコン信号を受信した後、一定時間内に次のリモコン信号を受信しなかった場合に、自動的に主電源ＯＦＦ処理を行うことにより、意図しないリモコン操作によるデジタルカメラ２１の誤起動を防止することが可能となる。
【００５４】
次に、電源スイッチ３２の操作によるカメラ起動処理を、図６のタイミングチャートに基づいて説明する。
【００５５】
スイッチＯＦＦ状態の電源スイッチ３２が押下されと、電源スイッチ３２からの出力信号ＪがＬｏｗからＨｉｇｈに切替わる（Ｔ６０１参照）。このＨｉｇｈレベルの出力信号Ｊは、論理和回路３１へ出力される。これにより、論理和回路３１は、タイミングＴ７０２において、Ｈｉｇｈレベルの信号Ｄを電源制御部２５に出力Ｄを出力する。
【００５６】
電源制御部２５は、論理回路部３１からＨｉｇｈレベルの信号Ｄが入力されると、システム制御部２９、スイッチ３３等への主電源の供給処理を開始する（出力信号Ｅ参照）。電源制御部２５からの供給電圧が所定の電圧レベルに達するタイミングＴ６０２では、スイッチ３３からシステム制御部２９にＨｉｇｈレベルの信号Ｋが出力される。
【００５７】
システム制御部２９は、スイッチ３３からＨｉｇｈレベルの信号Ｋが入力されることにより、電源スイッチ３２の操作によるカメラ起動指令であることを検出する（Ｔ６０３参照）。そして、システム制御部２９は、タイミングＴ６０４でデジタルカメラ２１の起動設定を確定し、論理和回路３１への出力信号ＧをＨｉｇｈレベルに切替える。
【００５８】
次に、システム制御部２９は、次に受信するリモコン信号の出力先を当該システム制御部２９へ切替える設定を、タイミングＴ６０５でリモコン受信部２２の出力制御部２２ｆに対して行う。また、システム制御部２９は、電源スイッチ３２、すなわちスイッチ３３からの信号ＫがタイミングＴ６０６でＬｏｗ信号に切り替わった後、各部の起動シーケンスへ移行する。
【００５９】
このように、電源スイッチ３２の操作によるカメラ起動処理においても、リモコン信号の出力先をシステム制御部２９へ切替える設定を行っているので、その後、リモコン１１により各種のカメラ動作指令又終了指令を行うことができる。
【００６０】
次に、ＵＳＢケーブルが接続された場合のカメラ起動処理を、図７のタイミングチャートに基づいて説明する。
【００６１】
ＵＳＢケーブルがデジタルカメラ２１に接続されると、図７に示したタイミングＴ７０１で、ＨｉｇｈレベルのＶＢＵＳ信号ＬがＵＳＢコネクタ３５から受信信号変換部２３とスイッチ３６に出力される。受信信号変換部２３は、ＨｉｇｈレベルのＶＢＵＳ信号Ｌが入力されると、タイミングＴ７０２でＨｉｇｈレベルの信号Ｃを論理和回路３１とスイッチ３４に出力する（Ｔ７０２参照）。これにより、論理和回路３１は、タイミングＴ７０２において、Ｈｉｇｈレベルの信号Ｄを電源制御部２５に出力し、スイッチ３４は、システム制御部２９にＨｉｇｈレベルの信号Ｆを出力する。
【００６２】
電源制御部２５は、論理和回路３１からＨｉｇｈレベルの信号Ｄが入力されると、システム制御部２９等への主電源の供給処理を開始する。システム制御部２９は、タイミングＴ７０３において電源制御部２５からの供給電圧が所定の電圧レベルに達すると、スイッチ３６からのＨｉｇｈレベルの信号Ｆにより、ＵＳＢケーブル接続によるカメラ起動指令であることを検出する（Ｔ７０４参照）。
【００６３】
そして、システム制御部２９は、タイミングＴ７０５でデジタルカメラ２１の起動設定を確定し、論理和回路３１へＨｉｇｈレベルの信号Ｇを出力する。
【００６４】
次に、システム制御部２９は、次に受信するリモコン信号の出力先を当該システム制御部２９へ切替える設定を、タイミングＴ７０６でリモコン受信部２２の出力制御部２２ｆに対して行う（Ｈ参照）。また、システム制御部２９は、スイッチ３４からの信号ＦがタイミングＴ７０７でＬｏｗ信号に切り替わった後、各部の起動シーケンスへ移行する。
【００６５】
このようにして、リモコン１１からの指令だけでなく、ＵＳＢ経由での指令によってもデジタルカメラ２１を起動することができる。
【００６６】
次に、リモコン信号によるカメラ終了動作を、図８のタイミングチャートに基づいて説明する。
【００６７】
リモコン１１は、ＯＮ状態のＰｏｗｅｒボタン１２が押下されると、カメラ終了指令（主電源のＯＦＦ指令）に係るリモコン信号（光信号Ａ、コード信号）を発信する（Ｔ８０１参照）。このカメラ終了指令のリモコン信号は、フォトダイオード２２ａにより受光されて、光電変換される（Ｔ８０２参照）。
【００６８】
光電変換されたカメラ終了指令（主電源ＯＦＦ指令）に係るリモコン信号は、アンプ２２ｂ、バンドパスフィルタ２２ｃ、検波回路２２ｄ、波形整形回路２２ｅを経由して、出力制御部２２ｆにより、システム制御部２９へ出力される（信号Ｉ、Ｔ８０２参照）。これは、図４のカメラ起動処理におけるタイミングＴ４０７において、システム制御部２９の制御により、リモコン信号の出力先がシステム制御部２９に切り替え設定されているからである。
【００６９】
システム制御部２９は、タイミングＴ８０３までのカメラ終了指令（主電源ＯＦＦ指令）に係るリモコン信号を受けると、タイミングＴ８０４でその主電源ＯＦＦ指令に係るリモコン信号をデコーダ２９ａによりデコード処理する。そして、システム制御部２９は、タイミングＴ８０５で、次回のリモコン信号の出力先を受信信号変換部２３へ切り替える設定を、リモコン受信部２２の出力設定部２２ｆに対して行う（信号Ｈ参照）。
【００７０】
次に、システム制御部２９は、各部の終了シーケンスを実行した後、タイミングＴ８０６でカメラＯＦＦ（主電源ＯＦＦ）設定を確定して、論理和回路３１への出力信号ＧをＨｉｇｈからＬｏｗに切替える。これにより、論理和回路３１から電源制御部２５にＬｏｗレベルの信号Ｄが出力される。
【００７１】
電源制御部２５は、Ｌｏｗレベルの信号Ｄが入力されると、Ｌｏｗレベルの信号Ｅによりシステム制御部２９等への主電源の供給停止処理を開始し、所定の時間後のタイミングＴ８０７で、デジタルカメラ２１は、主電源ＯＦＦ状態となる。
【００７２】
ただし、デジタルカメラ２１が主電源ＯＦＦ状態となっても、リモコン受信部２２、受信信号変換部２３には、補助電源部２６から補助電源が供給されており、リモコン制御信号、ＵＳＢからの受信信号を待機する状態となっている。
【００７３】
この待機状態では、前述のように、カメラ動作終了処理において次回のリモコン信号の出力先が受信信号変換部２３に切替え設定されている。従って、次に電源ＯＮ指令等に係るリモコン信号を受信した際に、そのリモコン信号をデコード処理することなく電源ＯＮ指令である旨を判別し、主電源のＯＮ処理を行うことができる。
【００７４】
これにより、リモコン信号の受信を待機している間、リモコン信号をデコードするためのクロック信号をデコーダ２９ａに供給する必要はなくなり、デジタルカメラ２１の消費電力を低減化することが可能となる。
【００７５】
次に、電源スイッチ３２によるカメラ終了動作を、図９のタイミングチャートに基づいて説明する。
【００７６】
主電源ＯＮの状態で電源スイッチ３２が押下されると、電源スイッチ３２から論理和回路３１とスイッチ３３に出力される出力信号Ｊが、ＬｏｗからＨｉｇｈに切り替わる（Ｔ９０１参照）。この場合、論理和回路３１は、システム制御部２９からの出力信号ＧがＨｉｇｈレベルを維持しているので、その出力信号Ｄは変化しない。
【００７７】
スイッチ３３は、電源スイッチ３２からＨｉｇｈレベルの出力信号Ｊを受けると、システム制御部２９への出力信号ＫをＬｏｗからＨｉｇｈに切り替える。システム制御部２９は、スステム制御部２９は、スイッチ３３の出力信号ＫがＨｉｇｈレベルに変化したことにより、電源スイッチ３２の操作によるカメラ終了指令であることを検知する（Ｔ９０２参照）。システム制御部２９は、カメラ終了指令を検知すると、次回のリモコン信号の出力先を受信信号変換部２３へ切り替える設定を、リモコン受信部２２の出力設定部２２ｆに対して行う（Ｔ９０３の信号Ｈ参照）。
【００７８】
電源スイッチ３２の押下操作が解除されると、その出力信号ＪはＨｉｇｈレベルからＬｏｗレベルに変化し、それに連動してスイッチ３３の出力信号ＫもＨｉｇｈレベルからＬｏｗレベルに変化する（Ｔ９０４参照）。
【００７９】
システム制御部２９は、スイッチ３３の出力信号ＫがＬｏｗレベルに変化すると、各部の終了シーケンスを実行した後、タイミングＴ８０６でカメラＯＦＦ設定を確定して、論理和回路３１への出力信号ＧをＨｉｇｈからＬｏｗに切替える。これにより、論理和回路３１から電源制御部２５にＬｏｗレベルの信号Ｄが出力される（Ｔ９０５参照）。
【００８０】
電源制御部２５は、Ｌｏｗレベルの信号Ｄが入力されると、Ｌｏｗレベルの信号Ｅによりシステム制御部２９等への主電源の供給停止処理を開始し、所定の時間後のタイミングＴ９０６で、デジタルカメラ２１は、主電源ＯＦＦ状態、すなわち前述の待機状態となる。
【００８１】
このように、電源スイッチ３２の操作によるカメラ終了動作の場合においても、リモコン１１からの指令によるカメラ終了動作の場合と同様に、受信に係るリモコン信号の出力先を受信信号変換部２３に切替え設定している。
【００８２】
従って、電源スイッチ３２の操作によりカメラ終了動作を行って待機状態に入った場合にも、受信に係るリモコン信号をデコード処理することなく電源ＯＮ指令である旨を判別することができる。これにより、リモコン信号の受信待機中にリモコン信号をデコードするためのクロック信号（高速のクロック信号）をデコーダ２９ａ等に供給する必要はなくなり、消費電力を低減化することが可能となる。
【００８３】
以上説明したように、第１の実施の形態では、システム制御部２９は、デジタルカメラ２１の主電源をＯＦＦして待機状態に入る際に、次のリモコン信号の出力先を受信信号変換部２３にするように、出力制御部２２ｆに対する設定を行っている。受信信号変換部２３は、次の何らかのリモコン信号が受信されると、Ｈｉｇｈ信号をスイッチ３４を介してシステム制御部２９に出力すると共に、論理和回路３１を介して電源制御部２５に出力する。
【００８４】
電源制御部２５は、上記のＨｉｇｈ信号が入力されることにより、システム制御部２９に主電源を供給する。また、システム制御部２９は、上記のＨｉｇｈ信号が入力されることにより、電源ＯＮ指令であることを認識し、主電源ＯＮ指令信号として機能する何らかのリモコン信号のデコード処理を行うことなく、各種の起動処理を行う。
【００８５】
これにより、遠隔操作機器であるリモコン１１による遠隔操作を受けるデジタルカメラ２１は、遠隔操作信号（リモコン信号）の待機状態での消費電力を簡単な構成で低減化することが可能となる。
【００８６】
［第２の実施の形態］
次に、デジタルカメラの第２の構成例を説明する。図１０は、本発明の第２の実施の形態に係るデジタルカメラの電気的な構成の概要を示す図である。
【００８７】
第２の実施の形態は、受信信号変換部２３の前段にプレ受信信号変換部５０と論理積回路５１を設けた点で図１の第１の実施の形態と相違し、その他の構成は第１の実施の形態と同じである。
【００８８】
このプレ受信信号変換部５０と論理積回路５１は、第１の実施の形態と異なり、リモコン操作に関しては、Ｐｏｗｅｒボタン１２に係る主電源ＯＮ指令のリモコン信号を受信した場合にのみ主電源ＯＮ処理を行うようにするために設けたものである。なお、リモコン信号の受信待機状態においては、プレ受信信号変換部５０と論理積回路５１にも、リモコン受信部２２、受信信号変換部２３と同様に補助電源部２６から補助電源が供給される。
【００８９】
プレ受信信号変換部５０は、図１１に示したように、複数のフリップフロップを使用したシフトレジスタにより構成され、リモコン受信部２２からの複数ビットのシリアルの制御信号をパラレル信号に変換する。リモコン１１からの制御コード信号は、図４に示したように、８ビットのワードを基本単位として構成されているので、プレ受信信号変換部５０のシフトレジスタは、８段のフリップフロップで構成されている。
【００９０】
これら８段のフリップフロップは、図１２に示したように、シフト信号ＳＦＴが立ち上がる毎に、入力信号Ｘを出力する。この場合、１段〜７段のフリップフロップは、次の段のフリップフロップに入力信号Ｘを出力することにより、当該入力信号Ｘは順次シフトされていく。そして、８段分のシフト信号ＳＦＴが入力された段階で、８ビットの入力信号Ｘは、Ｑ０〜Ｑ７のパラレル信号として論理積回路５１に出力される。
【００９１】
論理積回路５１は、８入力のアンドゲートで構成されている。また、第２の実施の形態では、リモコン制御信号におけるカメラ電源ＯＮ指令を示す８ビットのカメラ電源ＯＮ指令に係るリモコン信号（コード信号）は、８ビットの全てが「１」であることを想定している。
【００９２】
従って、論理積回路５１は、カメラ電源ＯＮ指令の制御コード信号が入力された場合にのみ、Ｈｉｇｈレベルの信号を受信信号変換部２３に出力する。図１２のタイミングチャートでは、Ｔｘの期間がＨｉｇｈレベルの出力期間になる。受信信号変換部２３にＨｉｇｈレベルの信号が入力された場合は、第１の実施の形態と全く同様の主電源ＯＮ動作が行われる。  
【００９３】
これにより、リモコン１１でデジタルカメラ２１の主電源をＯＮする場合は、Ｐｏｗｅｒボタン１２を操作した場合にのみ主電源ＯＮを行い、その他のボタンを操作しても主電源ＯＮを行わないようにすることができる。換言すれば、第２の実施の形態では、意図しないリモコン操作によるデジタルカメラ１１の誤起動を防止することが可能となる。
【００９４】
なお、本発明は、上記の各実施の形態に限定されることなく、デジタルカメラ以外の電子機器を遠隔操作する場合にも適用することが可能である。  
【００９５】
また、本発明の目的は、上述した各実施の形態の機能を実現するソフトウェアのプログラムコードを記録した記憶媒体によっても達成される。すなわち、この記憶媒体を、システム或いは装置に供給し、そのシステム或いは装置のコンピュータ（またはＣＰＵやＭＰＵ等）が記憶媒体に格納されたプログラムコードを読出して実行することによって達成される。
【００９６】
この場合、記憶媒体から読出されたプログラムコード自体が前述した各実施の形態の機能を実現することになり、そのプログラムコード及び該プログラムコードを記憶した記憶媒体は本発明を構成することになる。
【００９７】
また、プログラムコードを供給するための記憶媒体としては、次のものを用いることができる。例えば、フロッピー（登録商標）ディスク、ハードディスク、光磁気ディスク等を用いることができる。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００９８】
また、本発明は、コンピュータが読出したプログラムコードを実行することにより、上記の各実施の形態の機能が実現される場合だけに限定されるものではない。その他、例えば、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００９９】
さらに、記憶媒体から読出されたプログラムコードが、コンピュータに挿入された機能拡張ボードやコンピュータに接続された機能拡張ユニットに備わるメモリに書込まれることにより各実施の形態の機能が実現される場合も含まれる。この場合、当該書込みの後、そのプログラムコードの指示に基づき、その機能拡張ボードや機能拡張ユニットに備わるＣＰＵ等が実際の処理の一部または全部を行うこととなる。
【符号の説明】
【０１００】
１１…リモコン（遠隔操作機器）
２１…デジタルカメラ（電子機器）
２２…リモコン受信部（受信部）
２２ｆ…出力制御部
２３…受信信号変換部（信号変換部）
２４…主電源部
２５…電源制御部
２６…補助電源部
２９…システム制御部（機器制御部）
２９ａ…デコーダ
３１…論理和回路
３２…電源スイッチ
５０…プレ受信信号変換部
５１…論理積回路
【図１】
2011120166.tif 000003
【図２】
2011120166.tif 000004
【図３】
2011120166.tif 000005
【図４】
2011120166.tif 000006
【図５】
2011120166.tif 000007
【図６】
2011120166.tif 000008
【図７】
2011120166.tif 000009
【図８】
2011120166.tif 000010
【図９】
2011120166.tif 000011
【図１０】
2011120166.tif 000012
【図１１】
2011120166.tif 000013
【図１２】
2011120166.tif 000014